(57)【特許請求の範囲】
【請求項１】
素材は車輪の地面に接する部分のみゴム製として、押手本体（１）、床面本体（２）は全て金属製として、左右後輪は、押手本体（１）の下部に設置して、左右前輪は床面本体（２）の底面に設置して、後輪側横パイプ（１−７）と後輪側横パイプを入れるフック（２−３）を設け、床面車輪側横パイプ（１−８）と床面車輪側横パイプを入れるフック（２−４）も設けて、押手本体（１）と床面本体（２）と合体させて、荷物の運搬が自由に出来るようにして、前記合体を外すと押手本体（１）と床面本体（２）は、別々の構造に分解出来る事を特徴とする多機能台車。
【請求項２】
荷物を積んで運搬をするのが目的であるが、スーパーに買い物に行った時はショッピングカート用金網（３）を取り付けてショッピングカートとして使用する事が出来る事と、床面本体（２）の素材である、金属製は合成樹脂に取り替えて使用することが出来る請求項１記載の多機能台車。
【請求項３】
台車として使用中に歩きが困難な老人が居る場合は、老人、病人用骨組み（４）と、上部に布を取付けた台座（４−１）を取り付け車椅子として使用する事が出来る請求項１記載の多機能台車。
【発明の詳細な説明】
【技術分野】
【０００１】
本発明は、台車を折り畳み、又は分解し、ショッピングカートの役目や、一時的には老人や病人を乗せたりする事が出来る台車に関する。
【背景技術】
【０００２】
一般的には、台車は単純構造であり荷物を積んで運搬するだけの物が多くあり、多機能台車も公報に開示されているが構造の違いが大きい。
１．特開２００８−０６８８５１号公報（多機能台車）。
２．実全平０３−０２６６６０号公報（多機能台車）。
【先行技術文献】
【特許文献】
【０００３】
【特許文献１】特開２００８−０６８８５１号公報
【特許文献２】実全平０３−０２６６６０号公報
【発明の概要】
【発明が解決しようとする課題】
【０００４】
従来の台車は、単純構造であり、荷物を積んで場所を移動するだけの目的で使用するのが一般的である。
場所が狭く台車が邪魔になる、また押手だけを折り畳んでも乗用車の荷台に積む事には無理がある。
また、スーパーに買い物に行っても自分の車に買った商品を移動する事は中々困難がある。台車を簡単に分解・折り畳み・台車兼ショッピングカートにして使用する事が出来ないか、これらを解決する事が課題である。
【課題を解決するための手段】
【０００５】
課題を解決するために本発明は，以下の構成とした。
素材は車輪の地面に接する部分のみゴム製として、台座の上部に布を使用して、押手本体（１）、床面本体（２）は全て金属製とした。
【０００６】
左右後輪は、押手本体（１）の下部にあり、左右前輪は床面本体（２）の底面に取り付けた構造である。
分解すると、押手本体（１）に左右後輪があり、床面本体（２）に左右前輪があり、それを組み合わせて多機能台車とする事が出来る。
【０００７】
後輪側横パイプ（１−７）と後輪側横パイプ入れるフック（２−３）をまた、床面車輪側横パイプ（１−８）と床面横パイプを入れるフック（２−４）をそれぞれ組み立てて、押手本体（１）と床面本体（２）と合体したため、荷物の運搬が自由に出来る。前記合体はそれぞれを外すと押手本体（１）と床面本体（２）は、別々の構造に分解できる。
【発明の効果】
【０００８】
１．台車として荷物の運搬が出来、また、押手側と床面側に容易に分解、折り畳みが出来るので便利である。
２．スーパーに買い物に行っても、ショッピングカートとして使用して、台車は折り畳んで車に積んで買った物と台車は邪魔にならず便利である。
３．老人や病人が自分と身近な所にいる場合は、車椅子として使用出来るため便利である。
【図面の簡単な説明】
【０００９】
【図１】多機能台車側面図
【図２】多機能台車斜視図
【図３】床面を畳みかけた説明図
【図４】押手本体のみの側面図
【図５】押手本体のみの背面図
【図６】「Ａ」床面の底面図「Ｂ」床面の側面図  （車輪側横パイプを入れるフック（２−３）説明図）  （床面横パイプを入れるフック（２−４）の説明図）
【図７】床面を折り畳む状態の説明図
【図８】押手本体に床面をセットしてショッピングカートにして使用出来るように金網を取り付けた説明図
【図９】押手本体に床面をセットして、老人・病人用骨組みと布を取り付けた説明図
【図１０】老人、病人用骨組みの説明図
【発明を実施するための形態】
【００１０】
以下，本発明を実施するための最良の形態について説明する。
素材は車輪の地面に接する部分のみゴム製として、台座の上部に布を使用して、押手本体（１）、床面本体（２）は全て金属製とした。
床面本体（２）の金属製は、合成樹脂に取り替えて使用することが出来る
【００１１】
左右後輪は、押手本体（１）の下部にあり、左右前輪は床面本体（２）の底面に取り付けた構造である。
分解すると、押手本体（１）に左右後輪があり、床面本体（２）に左右前輪があり、それを組み合わせて多機能台車とするが、台車を分解して乗用車の荷台に積み込む時は、大きさから判断して自由に出来る
【００１２】
使用方法として、荷物を積んで運搬をするのが目的であるが、スーパーに買い物に行った時はショッピングカート用金網（３）を取り付けてショッピングカートとして使用する事が出来る
【００１３】
台車として使用中に歩きが困難な人が居た場合は、老人、病人用骨組み（４）と、上部に布を取り付けた台座（４−１）を取り付け車椅子として使用出来る。
【符号の説明】
【００１４】
１．      押手本体     
１−１．  車輪側縦バイプ
１−２．  前後連結棒
１−３．  角度調整部
１−４．  車輪側金網取り付け用パイプ
１−５．  前後固定具
１−６．  押手側車輪（後輪）
１−７．  後輪側横パイプ
１−８．  床面車輪側横パイプ
１−９．  肘掛
１−１０．前方縦パイプ
２．      床面本体
２−１．  床面の底面にセットした左右車輪（前輪）
２−２．  折り畳み線
２−３．  車輪側横パイプを入れるフック
２−４．  床面車輪側横パイプを入れるフック
２−５．  老人、病人用骨組み用長方形の穴
３．      ショッピングカート用金網     
４．      老人、病人用骨組み
４−１．  上部に布を取り付けた台座
【要約】
【課題】台車は、単純構造であり、荷物を積んで場所を移動するだけの目的で使用するのが一般的である。
場所が狭く台車が邪魔になる、また取っ手だけを折り畳んでも乗用車に積むことには無理がある。
また、スーパーに買い物に行っても自分の車に買った商品を移動する事は中々困難がある。
台車を簡単に分解・折り畳み・台車兼ショッピングカートにして使用する事が出来る多機能台車を提供する。
【解決手段】左右後輪は押手本体、左右前輪は床面本体に取り付けた構造にして、 分解すると、押手本体（１）に左右後輪があり、床面本体（２）に左右前輪があり、それを組み合わせて使用する事を特徴とする。
【選択図】図２【図１】
0006784468.tif 000002
【図２】
0006784468.tif 000003
【図３】
0006784468.tif 000004
【図４】
0006784468.tif 000005
【図５】
0006784468.tif 000006
【図６】
0006784468.tif 000007
【図７】
0006784468.tif 000008
【図８】
0006784468.tif 000009
【図９】
0006784468.tif 000010
【図１０】
0006784468.tif 000011